(57)【特許請求の範囲】
【請求項１】
引き出し等をガイドレールに取り外し可能に取り付けるためのロック装置であって、ガイドレールの可動部分の前端部に少なくとも１つのロックエレメントが取り付けられている形式のものにおいて、
ロックエレメント（10,25）が、有利には鉛直方向の力を受け止める第１のロック手段（9,17;9,28）を備えたばね弾性的な第１の操作アーム（14,27）を有しており、ロックエレメント（10,25）および／またはガイドレール（3,23）の摺動可能な部分が、引き出し（８）の載置域に、水平方向の力を受け止める第２のロック手段（5,6;5,32）を支持していることを特徴とする、引き出し等のためのロック装置。
【請求項２】
ロック手段が、ロックエレメント側もしくはガイドレール側のロック突起（17,6;28,32）と、引き出し側のロック開口（9,5）とから成っている、請求項１記載のロック装置。
【請求項３】
第１のロック開口（５）が、ガイドレール（1,20）に対して平行に延びる引き出し（８）載置域で、ロックエレメント（10,25）の近傍に配置されており、第２のロック開口（９）が、引き出しの目隠し板（７）に対してほぼ平行に延びる引き出し（８）部分に配置されている、請求項１または２記載のロック装置。
【請求項４】
ロックエレメント（10,25）が、ばね弾性的な第１の操作アーム（14,27）に対して僅かな間隔をおいて、ほぼ剛性の第２の操作アーム（18,30）を支持している、請求項１〜３までのいずれか１項記載のロック装置。
【請求項５】
ロックエレメント（10,25）が、ガイドレールもしくはガイド部（3,23）の内輪郭に適合した固定用付加部（10a,25a）を支持しており、該固定用付加部が、有利にはガイドレール側の押し曲げ加工部／変形加工部（11）によってガイド部（3,23）に固定可能である、請求項１から４までのいずれか１項記載のロック装置。
【請求項６】
第２の操作アーム（30）が中空室（33）を有しており、該中空室を貫通するように第１の操作アーム（27）が延びている、請求項１から５までのいずれか１項記載のロック装置。
【請求項７】
ロックエレメント（10,25）が、側方に延びる付加部（19,19a）を支持しており、該付加部が引き出し（８）等を固定している、請求項１から５までのいずれか１項記載のロック装置。
【請求項８】
ロックエレメント（10,25）が、一体成形されたばね弾性的なロック手段によって、クリップ結合することによってガイドレールもしくはガイド部（3,23）に固定可能である、請求項１から７までのいずれか１項記載のロック装置。
【発明の詳細な説明】
本発明は、引き出し等をガイドレールに取り外し可能に取り付けるためのロック装置であって、ガイドレールの可動部分の前端部に少なくとも１つのロックエレメントが取り付けられている形式のものに関する。
このようなロック装置は公知である。しかしながら、このようなロック装置には、このロック装置が見え易い、すなわちアクセスし易い操作手段を支持しているという欠点がある。このようなロック装置は視覚的には余り好ましいものではない。さらに、容易なアクセス性によって望ましくない脱離の恐れが生じる。このことは事故や損傷等のようなあらゆる不都合な結果を招く。
引き出し等が重い場合、例えば一杯に収納されている場合には、この引き出しを激しく開閉すると、このときに生じる比較的大きな制動力もしくは加速力によって、これらのロック装置は著しく負荷される恐れがある。このことは、ロック手段を破壊するかまたは、ロック機能を損なうようなロック手段の変形を招く。このことは事故の危険から考えても重大である。
本発明の課題は、冒頭で述べたようなロック装置を改良して、操作し易く、しかも望ましくない誤操作を排除して、かつ出来る限り目立たないように、すなわち視覚的に不都合ではないように、迅速かつ問題なく固定することができるような、高負荷可能なロック装置を提供することである。
この課題を解決するために本発明の構成では、ロックエレメントが、有利には鉛直方向の力を受け止める第１のロック手段を備えたばね弾性的な第１の操作アームを有しており、ロックエレメントおよび／またはガイドレールの摺動可能な部分が、引き出しの載置域に、水平方向力を受け止める第２のロック手段を支持しているようにした。
本発明のさらに有利な構成は請求項２以下に記載されている。
本発明により得られる利点は特に、各ロック手段が規定の方向（水平方向・鉛直方向）に作用する力を受け止めることにある。
すなわち、引き出し等の開閉時にガイドレール方向に生じる水平方向の力が、第１のロック手段によって受け止められ、この引き出し等の取り外しのために生じる鉛直方向の力は第２のロック手段が受け止める。
引き出し等が大きくかつ一杯に収納されている場合、引き出しを激しく開閉すると、加速・制動力のために生じる部分的に大きな水平方向の力が、合目的的に配置された第１のロック手段、つまりロック突起によって問題なく受け止められる。この場合冒頭で述べたような不都合は生じない。
以下に本発明の２つの有利な実施例を図面につき詳しく説明する。
第１図は、第１実施例のガイドレールを、第１のロックエレメントが挿入された状態で示した平面図である。
第1a図は、第１図の矢印Ａの方向で見た、第１図の側面図である。
第２図は、第１図を、引き出しが載置されてロックされた状態で示した図である。
第2a図は、第２図の拡大図である。
第３図は、第２図を、引き出しが未だロックされていない状態で示した図である。
第４図は、ロックエレメントを別個に示した側面図である。
第５図は、第６図のＶ−Ｖ線に沿って示した、組み付けられた状態における断面図である。
第６図は、ロックエレメントの平面図である。
第6a図は、矢印Ｃの方向で見た、ロックエレメントの側面図である。
第７図は、第２実施例のガイドレールを、ロックエレメントが挿入された状態で示した平面図である。
第7a図は、第７図の矢印Ｅの方向で見た、第７図の側面図である。
第８図は、ガイドレールに挿入されたロックエレメントを示した斜視図である。
第8a図は、ロックエレメントの斜視図である。
第９図は、引き出しが載置されかつロックされた状態で、第７図を部分的に断面して示した図である。
第10図は、ロックエレメントの断面図である。
第11図はロックエレメントの平面図である。
第11a図は、第11図の矢印Ｆの方向で見た、ロックエレメントの側面図である。
第11b図は、第11図の矢印Ｇの方向で見た、ロックエレメントの側面図である。
第12図は、第９図を、部分的に家具外枠をも一緒に示した図である。
第12a図は、第12図を、引き出しがガイドレールに載置されてはいるが未だロックされていない状態で示した図である。
第12b図は、第12図を、引き出しがロックされて引き出された状態で示した図である。
第１図〜第6b図に示した第１実施例に示された公知のガイドレール１（詳細には説明せず）は、家具側に固定可能な支持部２と、この支持部に沿って摺動可能に支承された引き出し側に固定可能なガイド部３とを備えている。
引き出し側のガイド部３の前端部４には、ロックエレメント10が固定されている。このロックエレメント10は固定用付加部10a（第４図および第６図）を支持している。この固定用付加部の横断面輪郭は引き出し側のガイド部３の内輪郭に適合することができるので、固定用付加部10aは、引き出し側のガイド部３に挿入したあと、このガイド部３によって位置正確に保持される。ガイド部３における最終的な固定は、ねじやリベットや一体成形されたロック突起によって行うか、またはエンボス加工や押し曲げ加工等によって行ってよい。
この第１実施例においては、この固定用付加部10aは、ガイド部３から押し出された突起11によって作用される。この突起は、固定用付加部10aに配置された対応切欠き12に係合する。（第５図および第６図）。
ロックエレメント10の、ガイド部３内には隠れないロックエレメント部分13には上側に、ばね弾性的な第１の操作アーム14が一体成形されている。この操作アームは下方に向かって、引き出し８の目隠し板７に対してほぼ平行に延びている。この操作アーム14は湾曲部15を形成しつつ延びて、目隠し板７から離反した屈曲部16で終わっている。この屈曲部によってこの操作アームを掴み易くなる。湾曲部15は操作アーム14の弾性・変形可能性を改善する。真ん中の部分においては、操作アーム14は、一体成形されたロック突起17を支持している。このロック突起は、さらに詳しく説明するように、目隠し板７に対して平行に延びる、引き出し８に設けられたロック開口９と協働する。
ガイド部３内には隠れないロックエレメント部分13には下側に、ほぼ剛性の第２の操作アーム18が一体成形されていてよい。この第２の操作アームの機能はあとでさらに説明する。第５図および第6a図に示したように、ロックエレメント10には、別の付加部19が一体成形されている。この付加部は、引き出し８が側方において比較的遊びがないように保持されるために役立つ。
引き出し８の前側部分においては、ガイド部３における引き出し８の載置域で、別のロック開口５が設けられている。このロック開口はさらに詳しく述べるように、ロックエレメント側またはガイド部側のロック突起６と協働する。
第１図〜第6b図に示された第１実施例の場合、このようなロック突起６はガイドレール１に設けられた、引き出し側のガイド部３から突出するように曲げられている。このロック突起６は勿論ロックエレメント10自体に一体成形されてもよい。しかしながら、第2a図に示した実施例のような構成は、ガイド部３および引き出し８が金属もしくは金属薄板から製造されている場合には、特に一杯に収納された大きな引き出し、つまり重い引き出し等に適した薄板基体もしくは金属基板において高負荷可能なロックが得られるという利点をもたらす。さらにこのことは、既に述べたように、急激な引き出し開閉時に大きな質量の加速・制動によって運動方向に見過ごすことのできない力が生じ、このような力が、ロック開口５とロック突起６とから成るロック結合部を著しく負荷する恐れがあるという点から見ても有利である。
第３図からは、前記ロック結合部の作用形式が判る。引き出し８は、引き出されたガイドレール１もしくはガイド部３に第３図に示したように載置され、次いで、矢印Ｂの方向に家具外枠に挿入される。
予め述べておくが、引き出し８の端部とガイド部３の端部とには、フック／アイ等から成るロック手段（詳細には説明せず）が一体成形されている。これらのロック手段は、引き出し８を矢印Ｂ方向に前述のように挿入したときに、引き出し８の後端部をガイド部３において、外れないようにロックする。このようなロックエレメントは本発明の対象ではないので、詳しくは説明しない。
引き出し前域においては、矢印Ｂ方向の引き出し８摺動時に、第３図に示したような位置関係が生ぜしめられる。すなわち、ガイド部３が、ガイドレール１内部に設けられた公知のストッパ（詳細には説明せず）に当接し、矢印Ｂの方向にはさらに摺動することができなくなる。すなわち、操作レバー14のロック突起17が、矢印Ｂの方向における引き出し８の更なる推動運動下で、僅かな量だけばね弾性的に後退する。ガイド部３における引き出し８の載置域において、ロック開口５とロック突起６とが合致すると、引き出し８の自重によって、この引き出しのロック開口５がロック突起６に被さる。
引き出し８のこのように僅かな鉛直方向運動は、同時にロック突起17とロック開口９とを合致させ、ばね作用下の操作アーム14がロック突起17をロック開口９に押し込む。引き出しは今や終端位置に位置しており、正常な状態でロックされる。このロックは水平方向（引き出し運動方向）においては、ロック手段（ロック開口5,ロック突起６）によって行われ、鉛直方向においてはロック手段（ロック開口9,ロック突起17）（第2a図）によって行われる。先に述べたように、引き出し８の後端部には公知のロック手段（詳細には説明せず）が摺動中に作用している。
不都合な製造誤差によって、ガイド部３が、ガイドレール１内部に設けられた前述の終端ストッパ（詳細には説明せず）に達せず、しかも目隠し板７が既に家具外枠に接触して、引き出し８とガイド部３との所望のロックが実現されずに、矢印Ｂ方向における引き出し８の推動運動が終了してしまう場合がある。
このような場合には、使用者が冒頭で述べた第２の操作アーム18を把持して、この操作アームを、ひいてはガイド部３をも矢印Ｋの方向に目隠し板に向かって引き付け（第2a図）、引き出し８とガイド部３との先に述べたようなロックが途中で実現することによって、ロック作用を生ぜしめることができる。
引き出し８をガイドレール１もしくはガイド部３から分離するためには使用者は操作アーム16を矢印Ｌ（第2a図）の方向に押圧する。こうすると、ロック手段（ロック開口9,ロック突起17）の係合が解離され、引き出し８を持ち上げて矢印Ｍの方向に抜き取ることができる。こうすると、引き出し８の後部のロック手段（詳細には説明せず）の係合も解離され、引き出し８をガイドレール３から完全に外すことができる。
第７図〜第12b図は第２実施例を示している。この第２実施例の場合、引き出し８が、全引き出し・超引き出し装置（Vollauszug/Ueberauszug）に取り付けられている。この全引き出し・超引き出し装置とは、家具外枠からの引き出し等の完全な引き出し動作を可能にする、通常の場合複数部材から成るガイドレールのことである。このような全引き出し・超引き出し装置は、異なる空間的な大きさを有しているので、ロックエレメントの適合を必要とする。
第９図および第10図が示すように、ロックエレメント25はやはり固定用付加部25aで、引き出し側のガイド部23に差し込まれ、この場所で、第１実施例で説明したように、エンボス加工または押し曲げ加工によって固定されるか、リベット、ピン、ねじ26等によって固定される。
ロック突起28を備えた第１の操作アーム27は屈曲して、この操作アームが、中間室29に向くようになっている。この中間室は、引き出し８が押し込まれた状態で、支持部21とガイド部23とによって形成される（第８図および第９図）。
第７図から判るように、ガイドレール20は公知の形式で、家具側の支持部21と、この支持部に沿って摺動可能に支承された中間部材22と、この中間部材22の上側部分にやはり摺動可能に支承された、引き出し側に固定可能なガイド部23とから成っている。
換言すれば、中間部材22は家具側の支持部21と一緒に第１の引き出しガイドを形成し、引き出し側のガイド部23と一緒に第２の引き出しガイドを形成している。引き出し運動は公知の摩擦ローラ24によって同期化される。
第１実施例（第４図）と同様に、この第２実施例の場合も、ほぼ下方に向けられた別の操作アーム30が設けられている。このような操作アーム30は、支持部21と中間部材22とから成る第１の引き出しガイドのためのストッパ面31であってよい（第９図）。さらに第１実施例で説明したように、不都合な製造誤差が、引き出し８押し込み中にガイド部23における引き出し８の正常なロックを阻止するような場合には、この操作アームは操作ハンドルとしても役立つことができる。これにより、第１実施例において説明したように、ガイド部23は目隠し板７の方向に引張られ、その途中で、所望のロックが生ぜしめられる。
この第２実施例の場合にも、ロックは、引き出し８に設けられた第１のロック開口５、ならびに引き出し８の目隠し板７の領域に設けられた第２のロック開口９によって行われる。この第１のロック開口は、ガイド部23に凸設されたロック突起32と協働し、第２のロック開口は、第１の操作アーム27に一体成形されたロック突起28と協働する。
第８図〜第11b図が示すように、第２の操作アーム30が中空室33を支持している。この中空室を第１の操作アーム27が貫通することができる。これにより、操作アーム30がストッパ機能もしくは制限機能を満たすことができ（第９図）、しかも、操作アーム27は引き出し８開放時にはアクセス性良好（第12b図）であり、引き出し８押し込み時には邪魔にならない。
引き出し８とガイド部23とのロックは、第１実施例で説明したのと同様に行われる。すなわち、引き出し８がガイド部に載置されて矢印Ｈ（第12a図）の方向に押し込まれるか、または引き出し８引き抜き時にはガイド部23が操作アーム30によって目隠し板７の方向に引き寄せられる。
この第２実施例でも引き出し８の後端部には、公知のロック手段（詳細には説明せず）が作用する。
引き出し８をガイド部23から外したい場合には、操作アーム27が、引き出し８引き抜き時に矢印Ｉ方向に押圧される（第12b図）。ロック開口９とロック突起28の係合が解離され、引き出し８を持ち上げることができ、次いで、ガイドレールもしくはガイド部23からこの引き出しを抜き取ることができる。
【図１】
0003546228.tif 000002
【図１ａ】
0003546228.tif 000003
【図２】
0003546228.tif 000004
【図２ａ】
0003546228.tif 000005
【図３】
0003546228.tif 000006
【図４】
0003546228.tif 000007
【図５】
0003546228.tif 000008
【図６】
0003546228.tif 000009
【図６ａ】
0003546228.tif 000010
【図６ｂ】
0003546228.tif 000011
【図７】
0003546228.tif 000012
【図７ａ】
0003546228.tif 000013
【図８】
0003546228.tif 000014
【図８ａ】
0003546228.tif 000015
【図９】
0003546228.tif 000016
【図１０】
0003546228.tif 000017
【図１１】
0003546228.tif 000018
【図１１ａ】
0003546228.tif 000019
【図１１ｂ】
0003546228.tif 000020
【図１２】
0003546228.tif 000021
【図１２ａ】
0003546228.tif 000022
【図１２ｂ】
0003546228.tif 000023